(57)【要約】  本発明の使い捨ておむつ（１）は、腹側ウエストフラップ（ＦＡ）及び背側ウエストフラップ（ＦＢ）に、弾性部材（７１）による伸縮領域（ＳＴ）が形成され、該伸縮領域（ＳＴ）に吸汗シート部（４）が配されている。吸汗シート部（４）は、弾性部材（７１）よりも着用者の肌に近い側に配されている。背側領域（Ｂ）側の吸汗シート部（４）は、その（Ｘ）方向の長さが、腹側領域（Ａ）側の吸汗シート部（４）の（Ｘ）方向の長さよりも長い。背側領域（Ｂ）側の吸汗シート部（４）が配された伸縮領域（ＳＴ）は、その（Ｙ）方向の収縮応力が、腹側領域（Ａ）側の吸汗シート部（４）が配された伸縮領域（ＳＴ）の（Ｙ）方向の収縮応力よりも大きい。
2018116479.tif 000002
【特許請求の範囲】
【請求項１】
縦方向に腹側領域および背側領域と、それらの間に位置する股下領域とを備え、前記腹側領域と前記背側領域とに亘って吸収体を有し、該吸収体の縦方向の前後端部それぞれから外方に位置して横方向に延びる腹側ウエストフラップ及び背側ウエストフラップを有する使い捨ておむつであって、
前記腹側ウエストフラップ及び前記背側ウエストフラップには、それぞれ、横方向に伸長状態で配された弾性部材による伸縮領域が形成されており、該伸縮領域に、汗を吸収可能な親水性の吸汗シート部が配されており、
前記吸汗シート部は、前記腹側ウエストフラップの横方向の全長以内の領域及び前記背側ウエストフラップの横方向の全長以内の領域に亘って配され、且つ、前記弾性部材よりも着用者の肌に近い側に配されており、
前記背側領域側の前記吸汗シート部は、その縦方向の長さが、前記腹側領域側の前記吸汗シート部の縦方向の長さよりも長く、
前記背側領域側の前記吸汗シート部が配された前記伸縮領域は、その横方向の収縮応力が、前記腹側領域側の前記吸汗シート部が配された前記伸縮領域の横方向の収縮応力よりも大きい、使い捨ておむつ。
【請求項２】
前記腹側領域側の前記吸汗シート部は、前記吸収体の縦方向の前記腹側領域側の外端縁の位置と該腹側領域の縦方向の外端縁の位置とで挟まれた領域にのみ配されている、請求項１に記載の使い捨ておむつ。
【請求項３】
前記腹側領域側の前記吸汗シート部の縦方向の長さ（Ｌ１）に対する前記背側領域側の前記吸汗シート部の縦方向の長さ（Ｌ２）の比（Ｌ２／Ｌ１）が、２以上である、請求項１又は２に記載の使い捨ておむつ。
【請求項４】
前記腹側領域側の前記吸汗シート部が配された前記伸縮領域の横方向の収縮応力（Ｐ１）に対する前記背側領域側の前記吸汗シート部が配された前記伸縮領域の横方向の収縮応力（Ｐ２）の比（Ｐ２／Ｐ１）が、１．１以上２以下である、請求項１〜３の何れか１項に記載の使い捨ておむつ。
【請求項５】
前記背側領域側の前記吸汗シート部は、前記吸収体の縦方向の前記背側領域側の外端縁よりも股下領域側の位置と該背側領域の縦方向の外端縁の位置とで挟まれた領域に配されており、該吸収体の該背側領域側の外端縁の位置に跨って配されている、請求項１〜４の何れか１項に記載の使い捨ておむつ。
【請求項６】
前記腹側領域の左右両側縁部と前記背側領域の左右両側縁部とが接合されて一対のサイドシール部、ウエスト開口部及び一対のレッグ開口部が形成されており、
前記親水性の吸汗シート部は、前記腹側ウエストフラップ及び前記背側ウエストフラップを構成する不織布のうち、前記弾性部材よりも着用者の肌に近い側の不織布の横方向の全長以内の領域に親水化剤を塗布して形成されており、
前記腹側領域側及び前記背側領域側の前記吸汗シート部の縦方向の内端縁の位置はレッグ開口部よりも縦方向外側に配されており、
前記腹側領域側及び前記背側領域側の前記吸汗シート部の縦方向の外端縁の位置は該吸汗シート部を形成する前記不織布の縦方向の外端縁の位置に一致している、請求項１〜５の何れか１項に記載の使い捨ておむつ。
【請求項７】
前記腹側領域側の前記吸汗シート部の縦方向の外端縁の位置と、該腹側領域の縦方向の外端縁の位置とが一致しており、
前記背側領域側の前記吸汗シート部の縦方向の外端縁の位置と、該背側領域の縦方向の外端縁の位置とが一致している、請求項１〜６の何れか１項に記載の使い捨ておむつ。
【請求項８】
前記腹側領域側の前記吸汗シート部の縦方向の外端縁の位置は、該腹側領域の縦方向の外端縁の位置に一致しておらず、該腹側領域の縦方向の外端縁の位置から離間しており、
前記背側領域側の前記吸汗シート部の縦方向の外端縁の位置は、該背側領域の縦方向の外端縁の位置に一致しておらず、該背側領域の縦方向の外端縁の位置から離間している、請求項１〜６の何れか１項に記載の使い捨ておむつ。
【請求項９】
前記親水性の吸汗シート部は、前記腹側ウエストフラップ及び前記背側ウエストフラップを構成する不織布のうち、前記弾性部材よりも着用者の肌に近い側の不織布に親水化剤を塗布して形成されている、請求項１〜８の何れか１項に記載の使い捨ておむつ。
【請求項１０】
前記腹側ウエストフラップ側の前記吸汗シート部の親水性の程度と前記背側ウエストフラップ側の前記吸汗シート部の親水性は同じである、請求項１〜９の何れか１項に記載の使い捨ておむつ。
【請求項１１】
前記腹側領域側の前記吸汗シート部の縦方向の長さ（Ｌ１）に対する前記背側領域側の前記吸汗シート部の縦方向の長さ（Ｌ２）の比（Ｌ２／Ｌ１）は、２以上２０以下である、請求項１〜１０の何れか１項に記載の使い捨ておむつ。
【請求項１２】
前記腹側領域側の前記吸汗シート部の縦方向の長さ（Ｌ１）は、３ｍｍ以上３０ｍｍ以下である、請求項１〜１１の何れか１項に記載の使い捨ておむつ。
【請求項１３】
前記背側領域側の前記吸汗シート部の縦方向の長さ（Ｌ２）は、３０ｍｍ以上１００ｍｍ以下である、請求項１〜１２の何れか１項に記載の使い捨ておむつ。
【請求項１４】
前記腹側領域側の前記吸汗シート部が配された前記伸縮領域の横方向の収縮応力（Ｐ１）に対する前記背側領域側の前記吸汗シート部が配された前記伸縮領域の横方向の収縮応力（Ｐ２）の比（Ｐ２／Ｐ１）は、１．２以上１．９以下である、請求項１〜１３の何れか１項に記載の使い捨ておむつ。
【請求項１５】
前記腹側領域側の前記吸汗シート部が配された前記伸縮領域の横方向の収縮応力（Ｐ１）は、０．００５Ｎ／ｍｍ以上０．０６Ｎ／ｍｍ以下である、請求項１〜１４の何れか１項に記載の使い捨ておむつ。
【請求項１６】
前記背側領域側の前記吸汗シート部が配された前記伸縮領域の横方向の収縮応力（Ｐ２）は、０．００５５Ｎ／ｍｍ以上０．０８Ｎ／ｍｍ以下である、請求項１〜１５の何れか１項に記載の使い捨ておむつ。
【請求項１７】
前記使い捨ておむつは外装体を有しており、
前記外装体は、非肌対向面を形成する外層シートと、前記外層シートの肌対向面に対向配置された内層シートとの積層体を含んで構成されている、請求項１〜１６の何れか１項に記載の使い捨ておむつ。
【請求項１８】
前記外層シートは、前記腹側領域及び前記背側領域に、前記内層シートの縦方向の外端縁から延出し、前記ウエスト開口部の周縁部に沿って前記内層シートの肌対向面側に折り返される折り返し部分を有し、該折り返し部分は、前記吸収体の縦方向の前後端部を被覆している、請求項１７に記載の使い捨ておむつ。
【請求項１９】
前記折り返し部分を含む前記外層シートの全体が疎水性の繊維で構成された疎水性のシートで形成されており、
前記外層シートとは別体の前記内層シートも、疎水性のシートで構成されている、請求項１８に記載の使い捨ておむつ。
【請求項２０】
前記外装体は、前記内層シートと前記外層シートとの間に、横方向に伸長した状態で、縦方向に間欠的に配された複数の糸状又は帯状の弾性部材を有している、請求項１７〜１９の何れか１項に記載の使い捨ておむつ。
【請求項２１】
前記腹側領域側の前記吸汗シート部は、前記腹側領域側の前記折り返し部分に親水化剤を塗布して形成されているとともに、前記吸収体の縦方向の前記腹側領域側の外端縁の位置と該腹側領域の縦方向の外端縁の位置とで挟まれた領域にのみ配されており、
前記腹側領域側の前記吸汗シート部とは別体の疎水性のシートが、前記吸収体の縦方向の前記腹側領域側の前端部の外端縁に跨って配されており、
前記背側領域側の前記吸汗シート部は、前記背側領域側の前記折り返し部分に親水化剤を塗布して形成されているとともに、前記吸収体の縦方向の前記背側領域側の外端縁よりも股下領域側の位置と該背側領域の縦方向の外端縁の位置とで挟まれた領域に配されており、該吸収体の該背側領域側の外端縁の位置に跨って配されており、
前記背側領域側の前記吸汗シート部と、前記吸収体の前記背側領域側の外端縁との間に、前記背側領域側の前記吸汗シート部とは別体の疎水性のシートが、前記吸収体の縦方向の前記背側領域側の後端部の外端縁に跨って配されている、請求項１７〜２０の何れか１項に記載の使い捨ておむつ。
【請求項２２】
前記腹側領域側では、前記腹側領域側の前記折り返し部分が前記吸収体の該腹側領域側の外端縁の位置に跨って配されており、
前記腹側領域側の前記折り返し部分よりも着用者の肌に近い側に、前記腹側領域側の前記折り返し部分とは別体の前記親水性の吸汗シート部が前記吸収体の該腹側領域側の外端縁の位置に跨って配されており、
前記背側領域側では、前記背側領域側の前記折り返し部分が前記吸収体の該背側領域側の外端縁の位置に跨って配されており、
前記背側領域側の前記折り返し部分よりも着用者の肌に近い側に、前記背側領域側の前記折り返し部分とは別体の親水性の吸汗シート部が、前記吸収体の縦方向の前記背側領域側の外端縁よりも股下領域側の位置と該背側領域の縦方向の外端縁の位置とで挟まれた領域に配されている、請求項１７〜２０の何れか１項に記載の使い捨ておむつ。
【請求項２３】
前記背側ウエストフラップ及び前記腹側ウエストフラップは、前記内層シートと前記外層シートとが、散点状に配置された複数の熱融着による接合部にて接合固定されて形成されている、請求項１７〜２２の何れか１項に記載の使い捨ておむつ。
【請求項２４】
前記伸長領域は、ウエスト伸縮部及び胴回り下部伸縮部を有しており、
前記腹側領域及び前記背側領域それぞれの前記ウエスト伸縮部から前記胴回り下部伸縮部に亘る領域に、前記内層シートと前記外層シートとの前記接合部が、縦方向に沿って一列をなすように間欠的に配されており、その複数の前記接合部からなる接合部列が、横方向に間隔を開けて複数列配されている、請求項２３に記載の使い捨ておむつ。
【請求項２５】
前記接合部で固定された前記内層シートと前記外層シートとの間に、横方向に伸長した状態で配され且つ縦方向に間欠的に配された複数の弾性部材を有している、請求項２３又は２４に記載の使い捨ておむつ。
【請求項２６】
前記伸長領域は、ウエスト伸縮部及び胴回り下部伸縮部を有しており、
前記腹側領域及び前記背側領域それぞれの前記ウエスト伸縮部から前記胴回り下部伸縮部に亘る領域に、複数本の前記弾性部材が、それぞれ、複数の前記接合部列それぞれの前記接合部どうし間の隙間を通って、横方向に伸長状態で配されている、請求項２５に記載の使い捨ておむつ。
【請求項２７】
前記外装体の前記腹側領域の両側縁部及び前記外装体の前記背側領域の両側縁部に、前記内層シートと前記外層シートとが弾性部材固定用接着剤を介して接合された一対の外側固定領域を有している請求項１７〜２６の何れか１項に記載の使い捨ておむつ。
【発明の詳細な説明】
【技術分野】
【０００１】
本発明は、使い捨ておむつに関する。
【背景技術】
【０００２】
使い捨ておむつには、吸収体を備えた縦長の吸収性本体の外側に外装体が配されている所謂パンツ型の使い捨ておむつがある。本出願人は、先に、このようなパンツ型の使い捨ておむつの外装体における背側エンドフラップに、幅方向に高度に配向した長繊維を有する親水性ウエブを配置し、汗を吸収し、湿疹、あせも、かぶれ等の発生が効果的に防止できる技術を提案した（例えば、特許文献１）。【０００３】
また、特許文献２には、汗を吸収する吸汗シートが、おむつの前後胴周り域の内面を覆う疎水性シートに接合されている使い捨ておむつが開示されている。
【先行技術文献】
【特許文献】
【０００４】
【特許文献１】特開２００６−１４１５４９号公報
【特許文献２】特開２００７−２５９８７４号公報
【発明の概要】
【０００５】
本発明は、縦方向に腹側領域および背側領域と、それらの間に位置する股下領域とを備え、前記腹側領域と前記背側領域とに亘って吸収体を有し、該吸収体の縦方向の前後端部それぞれから外方に位置して横方向に延びる腹側ウエストフラップ及び背側ウエストフラップを有する使い捨ておむつに関する、前記腹側ウエストフラップ及び前記背側ウエストフラップには、それぞれ、横方向に伸長状態で配された弾性部材による伸縮領域が形成されており、該伸縮領域に、汗を吸収可能な親水性の吸汗シート部が配されている。前記吸汗シート部は、前記腹側ウエストフラップの横方向の全長以内の領域及び前記背側ウエストフラップの横方向の全長以内の領域に亘って配され、且つ、前記弾性部材よりも着用者の肌に近い側に配されている。前記背側領域側の前記吸汗シート部は、その縦方向の長さが、前記腹側領域側の前記吸汗シート部の縦方向の長さよりも長い。前記背側領域側の前記吸汗シート部が配された前記伸縮領域は、その横方向の収縮応力が、前記腹側領域側の前記吸汗シート部が配された前記伸縮領域の横方向の収縮応力よりも大きい。
【図面の簡単な説明】
【０００６】
【図１】図１は、本発明の好ましい一実施形態であるパンツ型使い捨ておむつの斜視図である。
【図２】図２は、図１に示すおむつを展開して引き伸ばした状態を肌当接面側から視た一部破断展開平面図である。
【図３】図３は、図１に示すＩＩＩ―ＩＩＩ線断面図である。
【図４】図４は、本発明の好ましい別の実施形態のパンツ型使い捨ておむつの腹側領域Ａ及び背側領域Ｂの縦断面図である（図３相当図）。
【図５】図５は、本発明の好ましいまた別の実施形態のパンツ型使い捨ておむつの腹側領域Ａ及び背側領域Ｂの縦断面図である（図３相当図）。
【図６】図６は、本発明の好ましい更に別の実施形態のパンツ型使い捨ておむつの腹側領域Ａ及び背側領域Ｂの縦断面図である（図３相当図）。
【図７】図７は、本発明の好ましい更にまた別の実施形態のパンツ型使い捨ておむつの腹側領域Ａ及び背側領域Ｂの縦断面図である（図３相当図）。
【図８】図８は、本発明の好ましい別の実施形態のパンツ型使い捨ておむつを展開して引き伸ばした状態を肌当接面側から視た一部破断展開平面図である（図２相当図）。
【発明の詳細な説明】
【０００７】
本発明者は、湿疹、あせも、かぶれ等の皮膚トラブルが、使い捨ておむつを着用した際の背側のみならず、腹側にも起きていることを知見した。また、使い捨ておむつを例えば乳幼児が着用する場合、乳幼児の体型は腹側がでっぱり、背側が凹んでおり凹凸形状の凹凸の差が大きくなっている。その為、本発明者は、背側に配する吸汗性シート部と腹側に配する吸汗シート部とが同じ仕様であると、腹側では汗を吸収した吸汗シート部が密着し易く、皮膚トラブルを増長し易く、更に、吸汗シート部を介して尿の漏れを誘発し易いことを見出した。
【０００８】
特許文献１には、背側エンドフラップ及び腹側エンドフラップそれぞれに、親水性ウエブを配置してもよいことが記載されている。しかし、特許文献１には、背側エンドフラップに配する親水性ウエブの仕様と、腹側エンドフラップに配する親水性ウエブの仕様とを変更することに関して、何ら記載されておらず、特許文献１には、湿疹、あせも、かぶれ等の発生を更に効果的に防止するための改良の余地があった。
【０００９】
同様に、特許文献２には、おむつの前胴周り域の内面に配される吸汗シートの仕様と、おむつの後胴周り域の内面に配される吸汗シートの仕様とを変更することに関して何ら記載されていない。特許文献２に記載の使い捨ておむつのように、前胴周り域の吸汗シートの仕様と、後胴周り域の吸汗シートの仕様とが同じであれば、腹側では皮膚トラブルを増長し易く、腹側では吸汗シートを介して尿の漏れを誘発し易い。
【００１０】
したがって本発明は、前述した従来技術が有する欠点を解消し得る使い捨ておむつを提供することにある。
【００１１】
以下、本発明をその好ましい実施形態に基づき図面を参照しながら説明する。
本発明の使い捨ておむつは、縦方向Ｘに腹側領域Ａおよび背側領域Ｂと、それらＡ，Ｂの間に位置する股下領域Ｃとを備え、腹側領域Ａと背側領域Ｂとに亘って吸収体２３を有し、吸収体２３の縦方向Ｘの前後端部２３Ａ，２３Ｂそれぞれから外方に位置して横方向Ｙに延びる腹側ウエストフラップＦＡ及び背側ウエストフラップＦＢを有している。ここで、腹側領域Ａとは使い捨ておむつの着用時に着用者の腹側に配される領域であり、背側領域Ｂとは使い捨ておむつの着用時に着用者の背側に配される領域である。そして、腹側ウエストフラップＦＡとは、吸収体２３の縦方向Ｘの腹側領域Ａ側の前端部２３Ａの端縁から縦方向Ｘ外方に位置して横方向Ｙに延びる領域と、吸収体２３の縦方向Ｘの腹側領域Ａ側の前端部２３Ａから横方向Ｙに延びる領域とを合わせた領域を意味する。また、背側ウエストフラップＦＢとは、吸収体２３の縦方向Ｘの背側領域Ｂ側の後端部２３Ｂの端縁から縦方向Ｘ外方に位置して横方向Ｙに延びる領域と、吸収体２３の縦方向Ｘの背側領域Ｂ側の後端部２３Ｂから横方向Ｙに延びる領域とを合わせた領域を意味する。
【００１２】
図１及び図２には、本発明の使い捨ておむつの一実施形態であるパンツ型使い捨ておむつ１（以下、「おむつ１」ともいう。）が示されている。おむつ１は、図１及び図２に示すとおり、吸収性本体２と、吸収性本体２の非肌対向面側に配されて該吸収性本体２を固定する外装体３とを備え、外装体３は、吸収性本体２を構成する吸収体２３の縦方向Ｘの前後端部２３Ａ，２３Ｂから外方に位置して横方向Ｙに延びる腹側ウエストフラップＦＡ及び背側ウエストフラップＦＢを有している。おむつ１は、外装体３の腹側領域Ａの左右両側縁部３ａ１，３ａ１と外装体３の背側領域Ｂの左右両側縁部３ｂ１，３ｂ１とが接合されて一対のサイドシール部Ｓ，Ｓ、ウエスト開口部ＷＨ及び一対のレッグ開口部ＬＨ，ＬＨが形成されている使い捨ておむつである。好適に、おむつ１の外装体３は、図２に示すように、展開させかつ伸長させた状態を平面視して、着用時に着用者の腹側に配される腹側領域Ａ、着用時に着用者の背側に配される背側領域Ｂ、及び腹側領域Ａと背側領域Ｂとの間の股下領域Ｃに区分されている。
【００１３】
上述したおむつ１を展開させかつ伸長させた状態とは、図２に示すように、サイドシール部Ｓを引き剥がして、おむつ１を展開状態とし、その展開状態のおむつ１を、各部の弾性部材を伸長させて、設計寸法（弾性部材の影響を一切排除した状態で平面状に広げたときの寸法と同じ）となるまで広げた状態を意味する。
【００１４】
本明細書において、「肌対向面」とは、おむつ１又はその構成部材における、着用時に着用者の肌側、即ち、相対的に着用者の肌に近い側に向けられる面であり、「非肌対向面」とは、おむつ１又はその構成部材における、着用時に着用者の肌側とは反対側（着衣側）、即ち、相対的に着用者の肌から遠い側に向けられる面である。おむつ１において、縦方向（Ｘ方向）とは、平面に展開させかつ伸長させた状態で、腹側領域Ａから背側領域Ｂにわたる方向のことである。また、横方向（Ｙ方向）とは、縦方向（Ｘ方向）と直交する方向であり、平面に展開させかつ伸長させた状態のおむつ１の幅方向のことである。
また、おむつ１は、図２に示す、縦方向（Ｘ方向）に延びる縦中心線ＣＬ１に対して左右対称形となっている。尚、図２中のＣＬ２は、おむつ１を縦方向（Ｘ方向）に二分する横方向（Ｙ方向）に延びる横中心線であり、縦中心線ＣＬ１に直交している。
【００１５】
おむつ１では、吸収性本体２は、図２に示すとおり、おむつ１を展開させかつ伸長させた状態において、縦方向（Ｘ方向）が相対的に長い縦長の形状を有している。吸収性本体２は、肌対向面を形成する液透過性の表面シート２１と、非肌対向面を形成する液難透過性（撥水性も含む）の裏面シート２２と、これら両シート２１，２２間に介在配置された液保持性の吸収体２３とを具備する。おむつ１では、吸収体２３は、吸収性能を有する吸収性コア２３１を液透過性の被覆シート２３２によって被覆されて形成されたものであり、吸収性本体２の縦方向（Ｘ方向）の全長は吸収体２３のそれと同じであり、吸収体２３の前後端部２３Ａ，２３Ｂの外端縁２３Ａ１，２３Ｂ１の位置は、図２に示すように、吸収性本体２の前後端部の外端縁の位置と同位置にある。また、吸収性本体２の縦方向（Ｘ方向）に沿う両側部には、図２に示すように、縦方向（Ｘ方向）に伸長状態で配された弾性部材２５を有する防漏カフ２４，２４が設けられている。具体的には、防漏カフ２４は、液不透過性又は撥水性で且つ通気性の素材から構成されており、各防漏カフ２４の自由端部近傍には、防漏カフ形成用弾性部材２５が縦方向（Ｘ方向）に伸長した状態で配されている。おむつの着用時には、防漏カフ形成用弾性部材２５の収縮により防漏カフ２４の自由端部側が起立して、横方向（Ｙ方向）への体液の流出が阻止される。
【００１６】
以上のように構成された吸収性本体２は、図２に示すように、その縦方向（Ｘ方向）を、展開かつ伸長状態におけるおむつ１の縦方向（Ｘ方向）に一致させて、外装体３の中央部に、本体固定用接着剤によって接合されている。このように、外装体３は、使い捨ておむつ１の厚み方向における、吸収性本体２を構成する裏面シート２２の非肌対向面側に配されて接着固定されている。従って、おむつ１では、吸収性本体２を構成する吸収体２３が、腹側領域Ａと背側領域Ｂとに亘って配されている。
【００１７】
おむつ１では、図２及び図３に示すように、吸収体２３の縦方向Ｘの前後端部２３Ａ，２３Ｂから外方に位置して横方向Ｙに延びる腹側ウエストフラップＦＡ及び背側ウエストフラップＦＢには、それぞれ、横方向（Ｙ方向）に伸長状態で配された弾性部材７１による伸縮領域ＳＴが形成されている。好適に、外装体３は、おむつ１では、着用時においておむつ１の外面即ち非肌対向面を形成する外層シート６と、外層シート６の肌対向面に対向配置された内層シート５との積層体を含んで構成されている。おむつ１の着用時において、外層シート６は着用者の肌から遠い側に位置して、おむつ１の非肌対向面（外面）を形成し、内層シート５は、外層シート６よりも着用者の肌に近い側に位置して、おむつ１の肌対向面（内面）を形成する。外層シート６と内層シート５とは、所定の部位において接着剤、ヒートシール、高周波シール、超音波シール等の接合手段を介して互いに接合されている。外層シート６は、図２に示すように、腹側領域Ａ及び背側領域Ｂに、内層シート５の縦方向Ｘの外端縁から延出し、ウエスト開口部ＷＨの周縁部に沿って内層シート５の肌対向面側に折り返される折り返し部分６Ｅを有し、該折り返し部分６Ｅは、吸収体２３の縦方向Ｘの前後端部２３Ａ，２３Ｂ、即ち、吸収性本体２の縦方向Ｘの前後端部を被覆している。外層シート６の折り返し部分６Ｅと内層シート５とは、所定の部位において接着剤、ヒートシール、高周波シール、超音波シール等の接合手段を介して互いに接合されている。
【００１８】
上述のように、おむつ１では、外装体３は、図２に示すように、おむつ１の外面を形成する非肌対向面側の外層シート６、最も肌対向面側の折り返し部分６Ｅ、外層シート６と折り返し部分６Ｅとの間に配された内層シート５を有している。おむつ１では、折り返し部分６Ｅを除く外層シート６及び内層シート５は、縦方向（Ｘ方向）中央部において縦中心線ＣＬ１に向かって内方に括れており、互いに同形同大に形成されている。外層シート６の折り返し部分６Ｅで形成された折り返し部分６Ｅは、横方向（Ｙ方向）に長い矩形状に形成されている。折り返し部分６Ｅ、内層シート５及び外層シート６は、それぞれ、別体のシートであってもよいが、おむつ１では、折り返し部分６Ｅが、外層シート６の折り返し部分によって形成されている。このように、おむつ１では、腹側ウエストフラップＦＡ及び背側ウエストフラップＦＢに、それぞれ、折り返し部分６Ｅ及び内層シート５を有し、更に、内層シート５の非肌対向面側に外層シート６を有している。
【００１９】
また、おむつ１では、外装体３は、図２に示すように、内層シート５と外層シート６との間に、横方向（Ｙ方向）に伸長した状態で、縦方向（Ｘ方向）に間欠的に配された複数の糸状又は帯状の弾性部材７１を有している。おむつ１では、複数の弾性部材７１を備えることにより、ウエスト伸縮部Ｇ１及び胴回り下部伸縮部Ｇ２を有する伸縮領域ＳＴを形成している。また、おむつ１では、内層シート５と外層シート６との間に、図２に示すように、伸長した状態の複数の糸状又は帯状のレッグ弾性部材７２を有している。おむつ１では、複数のレッグ弾性部材７２を備えることにより、レッグ伸縮部Ｇ３を形成している。レッグ伸縮部Ｇ３は、図２に示すように、レッグ開口部ＬＨの周縁部に形成されている。
【００２０】
おむつ１では、ウエスト伸縮部Ｇ１は、図２に示すように、縦方向（Ｘ方向）において、吸収性本体２を構成する吸収体２３の縦方向（Ｘ方向）の前後端部２３Ａ，２３Ｂの外端縁２３Ａ１，２３Ｂ１よりも縦方向Ｘの外方（横中心線ＣＬ２側と反対側）に位置するエンドフラップに形成されている。また、おむつ１では、胴回り下部伸縮部Ｇ２は、縦方向（Ｘ方向）において、ウエスト伸縮部Ｇ１の横中心線ＣＬ２側の下端とサイドシール部Ｓの下端との間に位置するサイドフラップに形成されている。上述した背側ウエストフラップＦＢ及び腹側ウエストフラップＦＡは、前記エンドフラップ（ウエスト伸縮部Ｇ１）に、前記サイドフラップ（胴回り下部伸縮部Ｇ２）の一部を合わせた領域でもある。
【００２１】
おむつ１では、外装体３は、図２に示すように、内層シート５及び外層シート６を接合する複数の接合部８を有している。おむつ１では、背側ウエストフラップＦＢ及び腹側ウエストフラップＦＡは、内層シート５と外層シート６とが、散点状に配置された複数の熱融着による接合部８にて接合固定されて形成されている。おむつ１では、腹側領域Ａ及び背側領域Ｂそれぞれのウエスト伸縮部Ｇ１から胴回り下部伸縮部Ｇ２に亘る領域に、内層シート５と外層シート６との接合部８が、縦方向（Ｘ方向）に沿って一列をなすように間欠的に配されており、その複数の接合部８からなる接合部列８Ｌが、横方向（Ｙ方向）に間隔を開けて複数列配されている。
【００２２】
おむつ１は、図２に示すように、接合部８で固定された内層シート５と外層シート６との間に、横方向(Ｙ方向)に伸長した状態で配され且つ縦方向（Ｘ方向）に間欠的に配された複数の弾性部材７１を有している。好適に、おむつ１では、腹側領域Ａ及び背側領域Ｂそれぞれのウエスト伸縮部Ｇ１から胴回り下部伸縮部Ｇ２に亘る領域に、複数本の弾性部材７１が、それぞれ、複数の接合部列８Ｌそれぞれの接合部８どうし間の隙間を通って、横方向（Ｙ方向）に伸長状態で配されている。
【００２３】
また、おむつ１では、図２に示すように、外装体３の腹側領域Ａの両側縁部３ａ１，３ａ１及び外装体３の背側領域Ｂの両側縁部３ｂ１，３ｂ１に、内層シート５と外層シート６とが弾性部材固定用接着剤を介して接合された一対の外側固定領域３Ｔ１，３Ｔ１を有しており、また、吸収性本体２の縦方向（Ｘ方向）に沿う両側部の近傍に、内層シート５と外層シート６とが弾性部材固定用接着剤を介して接合された一対の本体側固定領域３Ｔ２，３Ｔ２を有している。
【００２４】
おむつ１のウエスト伸縮部Ｇ１では、図２に示すように、複数本の弾性部材７１が、一対の外側固定領域３Ｔ１，３Ｔ１間に亘って配されており、それらの弾性部材７１は、一対の外側固定領域３Ｔ１，３Ｔ１それぞれにおいて、内層シート５と外層シート６との間に固定されている一方、一対の外側固定領域３Ｔ１，３Ｔ１間においては、内層シート５及び外層シート６の何れにも固定されていない。
また、おむつ１の胴回り下部伸縮部Ｇ２では、図２に示すように、複数本の弾性部材７１が、外側固定領域３Ｔ１と本体側固定領域３Ｔ２との間に亘って配されており、それらの弾性部材７１は、外側固定領域３Ｔ１と本体側固定領域３Ｔ２とのそれぞれにおいて、内層シート５と外層シート６との間に固定されている一方、外側固定領域３Ｔ１と本体側固定領域３Ｔ２との間においては、内層シート５及び外層シート６の何れにも固定されていない。おむつ１の胴回り下部伸縮部Ｇ２では、一対の本体側固定領域３Ｔ２，３Ｔ２の間には、弾性部材７１が配されていないか、或いは、弾性部材７１が、弾性伸縮性を発現しないように細かく分断される等の処理を施された状態で配されている。
【００２５】
尚、おむつ１のレッグ伸縮部Ｇ３では、図２に示すように、レッグ開口部ＬＨの周縁部に伸長状態で配された複数のレッグ弾性部材７２が、レッグ開口部ＬＨの周縁部に面状に配された弾性部材固定用接着剤を介して内層シート５と外層シート６との間に固定されている。
【００２６】
おむつ１の外装体３では、図１及び図２に示すように、ウエスト伸縮部Ｇ１及び胴回り下部伸縮部Ｇ２において、内層シート５と外層シート６との間に横方向(Ｙ方向)に伸長状態で配され且つ縦方向（Ｘ方向）に間欠的に配された複数の弾性部材７１の収縮により、横方向(Ｙ方向)に隣接する接合部列８Ｌ，８Ｌどうしの間の外層シート６が外方に膨らむように変形し、折り返し部分６Ｅ及び内層シート５が内方に膨らむように変形してギャザー部が形成されている。
【００２７】
おむつ１では、図２に示すように、伸縮領域ＳＴに、汗を吸収可能な親水性の吸汗シート部４が配されている。親水性の吸汗シート部４は、おむつ１では、腹側ウエストフラップＦＡの伸縮領域ＳＴ、即ち、ウエスト伸縮部Ｇ１に胴回り下部伸縮部Ｇ２の一部を合わせた領域に配されている。また、吸汗シート部４は、背側ウエストフラップＦＢの伸縮領域ＳＴ、即ち、ウエスト伸縮部Ｇ１に胴回り下部伸縮部Ｇ２の一部を合わせた領域に配されている。
【００２８】
おむつ１では、親水性の吸汗シート部４は、図３に示すように、腹側ウエストフラップＦＡ及び背側ウエストフラップＦＢを構成する不織布（内層シート５、外層シート６及び折り返し部分６Ｅ）の内、弾性部材７１よりも着用者の肌に近い側の不織布である内層シート５に親水化剤を塗布して形成されている。
【００２９】
親水化剤としては、使い捨ておむつ等の吸収性物品に用いられる公知の親水化剤を用いることができる。おむつ１では、内層シート５に塗布する親水化剤の坪量は、腹側ウエストフラップＦＡ側と背側ウエストフラップＦＢ側とで同じ量であることが好ましく、腹側ウエストフラップＦＡ側の吸汗シート部４の親水性の程度と背側ウエストフラップＦＢ側の吸汗シート部４の親水性は同じであることが好ましい。ここで、接触角が同じであるとは、後述する測定方法において測定した接触角の値の差が、５°以内であることをいう。
【００３０】
おむつ１では、親水性の吸汗シート部４は、図２に示すように、腹側ウエストフラップＦＡの横方向（Ｙ方向）の全長以内の領域に亘って配され、且つ、図３に示すように、弾性部材７１よりも着用者の肌に近い側に配されている。同様に、親水性の吸汗シート部４は、図２に示すように、背側ウエストフラップＦＢの横方向（Ｙ方向）の全長以内の領域に亘って配され、且つ、図３に示すように、弾性部材７１よりも着用者の肌に近い側に配されている。親水性の吸汗シート部４が「全長以内の領域に亘って」配されているとは、親水性の吸汗シート部４が、腹側ウエストフラップＦＡ及び背側ウエストフラップＦＢの横方向（Ｙ方向）の全長に亘って配されている場合のみならず、親水性の吸汗シート部４が、腹側ウエストフラップＦＡ及び背側ウエストフラップＦＢの横方向（Ｙ方向）の全長よりも短い領域に亘って配されている場合も含む意味であるが、吸収体２３の横方向（Ｙ方向）の長さ以上の領域に亘って配されていることが好ましい。おむつ１では、親水性の吸汗シート部４は、腹側ウエストフラップＦＡ及び背側ウエストフラップＦＢそれぞれにおいて、腹側ウエストフラップＦＡ及び背側ウエストフラップＦＢを構成する、弾性部材７１よりも着用者の肌に近い内層シート５の横方向（Ｙ方向）の全長に亘って、親水化剤を塗布して形成されている。
【００３１】
おむつ１では、背側領域Ｂ側の吸汗シート部４は、図２に示すように、その縦方向（Ｘ方向）の長さ（Ｌ２）が、腹側領域Ａ側の吸汗シート部４の縦方向（Ｘ方向）の長さ（Ｌ１）よりも長く形成されている。腹側領域Ａ側の吸汗シート部４の縦方向（Ｘ方向）の長さ（Ｌ１）に対する背側領域Ｂ側の吸汗シート部４の縦方向（Ｘ方向）の長さ（Ｌ２）の比（Ｌ２／Ｌ１）は、着用時に着用者の背側で多量の汗を吸汗すると共に着用者の腹側でも効率的に汗を吸汗する観点から、２以上であることが好ましく、３以上であることが更に好ましく、そして、２０以下であることが好ましく、１２以下であることが更に好ましく、具体的には、２以上２０以下であることが好ましく、３以上１８以下であることが更に好ましい。
【００３２】
詳述すると、腹側領域Ａ側の吸汗シート部４の縦方向（Ｘ方向）の長さ（Ｌ１）は、着用時に着用者の腹側でも効率的に汗を吸汗する観点から、３ｍｍ以上であることが好ましく、５ｍｍ以上であることが更に好ましく、そして、３０ｍｍ以下であることが好ましく、２０ｍｍ以下であることが更に好ましく、具体的には、３ｍｍ以上３０ｍｍ以下であることが好ましく、５ｍｍ以上２０ｍｍ以下であることが更に好ましい。
背側領域Ｂ側の吸汗シート部４の縦方向（Ｘ方向）の長さ（Ｌ２）は、着用時に着用者の背側で多量の汗を吸汗する観点から、３０ｍｍ以上であることが好ましく、４０ｍｍ以上であることが更に好ましく、そして、１００ｍｍ以下であることが好ましく、８０ｍｍ以下であることが更に好ましく、具体的には、３０ｍｍ以上１００ｍｍ以下であることが好ましく、４０ｍｍ以上８０ｍｍ以下であることが更に好ましい。
吸汗シート部４の縦方向（Ｘ方向）の長さ（Ｌ１，Ｌ２）は、おむつ１を展開させかつ伸長させた状態における長さである。
【００３３】
おむつ１では、腹側領域Ａ側の吸汗シート部４は、図２及び図３に示すように、吸収体２３の縦方向（Ｘ方向）の腹側領域Ａ側の前端部２３Ａの外端縁２３Ａ１の位置と腹側領域Ａの縦方向（Ｘ方向）の外端縁Ａ１の位置とで挟まれた領域にのみ配されている。腹側領域Ａの縦方向（Ｘ方向）の外端縁Ａ１の位置とは、おむつ１では、ウエスト開口部ＷＨの周縁部の周縁の位置を意味する。言い換えれば、おむつ１では、腹側領域Ａ側の吸汗シート部４は、吸収性本体２の縦方向Ｘの前端部の外端縁の位置と腹側領域Ａにおけるウエスト開口部ＷＨの周縁部の周縁の位置とで挟まれた領域にのみ配されている。おむつ１では、腹側領域Ａ側の吸汗シート部４は、吸収体２３の縦方向（Ｘ方向）の腹側領域Ａ側の前端部２３Ａの外端縁２３Ａ１の位置よりも外方であって、腹側領域Ａにおけるウエスト開口部ＷＨの周縁部の周縁の位置よりも内方である、前記挟まれた領域よりも狭い該挟まれた領域の内側領域にのみ配されている。
【００３４】
おむつ１では、背側領域Ｂ側の吸汗シート部４は、その縦方向（Ｘ方向）の長さ（Ｌ２）が腹側領域Ａ側の吸汗シート部４の縦方向（Ｘ方向）の長さ（Ｌ１）よりも長いが、腹側領域Ａ側の吸汗シート部４と同様に、図２及び図３に示すように、吸収体２３の縦方向（Ｘ方向）の背側領域Ｂ側の後端部２３Ｂの外端縁２３Ｂ１の位置と背側領域Ｂの縦方向（Ｘ方向）の外端縁Ｂ１の位置とで挟まれた領域にのみ配されている。背側領域Ｂの縦方向（Ｘ方向）の外端縁Ｂ１の位置とは、おむつ１では、ウエスト開口部ＷＨの周縁部の周縁の位置を意味する。言い換えれば、おむつ１では、背側領域Ｂ側の吸汗シート部４は、吸収性本体２の縦方向Ｘの後端部の外端縁の位置と背側領域Ｂにおけるウエスト開口部ＷＨの周縁部の周縁の位置とで挟まれた領域にのみ配されている。おむつ１では、背側領域Ｂ側の吸汗シート部４は、吸収体２３の縦方向（Ｘ方向）の背側領域Ｂ側の後端部２３Ｂの外端縁２３Ｂ１の位置よりも外方であって、背側領域Ｂにおけるウエスト開口部ＷＨの周縁部の周縁の位置よりも内方である、前記挟まれた領域よりも狭い該挟まれた領域の内側領域にのみ配されている。
【００３５】
おむつ１では、図２及び図３に示すように、腹側領域Ａ側及び背側領域Ｂ側の吸汗シート部４の縦方向（Ｘ方向）の内端縁は、レッグ開口部ＬＨよりも縦方向（Ｘ方向）外側に配されている。吸汗シート部４の内端縁とは、おむつ１では、吸汗シート部４における最も股下領域Ｃ寄りの縦方向Ｘの端縁を意味する。図２に示すように、腹側領域Ａ側の吸汗シート部４の縦方向（Ｘ方向）の内端縁は、レッグ開口部ＬＨよりも縦方向（Ｘ方向）外側に配されている。言い換えれば、腹側領域Ａ側の吸汗シート部４の縦方向（Ｘ方向）の内端縁は、一対のサイドシール部Ｓ，Ｓの縦方向Ｘの股下領域Ｃ側の内端縁どうしを結ぶ仮想線よりも、縦方向（Ｘ方向）外側、即ち、ウエスト開口部ＷＨ側に配されており、後述する背側領域Ｂ側の吸汗シート部４の内端縁よりもウエスト開口部ＷＨ側に配されている。また、背側領域Ｂ側の吸汗シート部４の縦方向（Ｘ方向）内端縁は、一対のサイドシール部Ｓ，Ｓの縦方向Ｘの股下領域Ｃ側の内端縁どうしを結ぶ仮想線よりも、縦方向（Ｘ方向）外側、即ち、ウエスト開口部ＷＨ側に配されている。
【００３６】
また、おむつ１では、図２及び図３に示すように、腹側領域Ａ側及び背側領域Ｂ側の吸汗シート部４の縦方向（Ｘ方向）の外端縁の位置は、吸汗シート部４を形成する不織布の縦方向（Ｘ方向）の外端縁の位置に一致している。吸汗シート部４の外端縁とは、おむつ１では、吸汗シート部４における最もウエスト開口部ＷＨの周縁部寄りの縦方向Ｘの端縁を意味する。尚、おむつ１では、吸汗シート部４を形成する不織布は、内層シート５である。吸汗シート部４を形成する不織布の縦方向（Ｘ方向）の外端縁とは、おむつ１では、内層シート５における最もウエスト開口部ＷＨの周縁部寄りの縦方向Ｘの端縁を意味する。おむつ１では、吸汗シート部４が腹側領域Ａ及び背側領域Ｂを構成する内層シート５に形成されており、吸汗シート部４の縦方向Ｘの外端縁の位置と、内層シート５の縦方向Ｘの外端縁の位置とが一致している。
ここで「一致」とは、腹側領域Ａ側及び背側領域Ｂ側の吸汗シート部４の縦方向（Ｘ方向）の外端縁の位置と吸汗シート部４を形成する不織布の縦方向（Ｘ方向）の外端縁の位置との差が５ｍｍ以下である場合であることを意味する。本願明細書中における「一致」とは、同様の意味である。
【００３７】
そして、おむつ１では、背側領域Ｂ側の吸汗シート部４が配された伸縮領域ＳＴは、その横方向（Ｙ方向）の収縮応力（Ｐ２）が、腹側領域Ａ側の吸汗シート部４が配された伸縮領域ＳＴの横方向（Ｙ方向）の収縮応力（Ｐ１）よりも大きく形成されている。腹側領域Ａ側の吸汗シート部４が配された伸縮領域ＳＴの横方向（Ｙ方向）の収縮応力（Ｐ１）に対する背側領域Ｂ側の吸汗シート部４が配された伸縮領域ＳＴの横方向（Ｙ方向）の収縮応力（Ｐ２）の比（Ｐ２／Ｐ１）は、着用時に着用者の背側の凹みに対応して多量の汗を吸汗すると共に着用者の腹側ではおむつ１の着用跡が付き難く効率的に汗を吸汗する観点から、１．１以上であることが好ましく、１．２以上であることが更に好ましく、そして、２．０以下であることが好ましく、１．９以下であることが更に好ましく、具体的には、１．１以上２．０以下であることが好ましく、１．２以上１．９以下であることが更に好ましい。
【００３８】
詳述すると、腹側領域Ａ側の吸汗シート部４が配された伸縮領域ＳＴの横方向（Ｙ方向）の収縮応力（Ｐ１）は、着用時に着用者の腹側でおむつ１の着用跡が付き難く効率的に汗を吸汗する観点から、０．００５Ｎ／ｍｍ以上であることが好ましく、０．００５５Ｎ／ｍｍ以上であることが更に好ましく、そして、０．０６Ｎ／ｍｍ以下であることが好ましく、０．０５Ｎ／ｍｍ以下であることが更に好ましく、具体的には、０．００５Ｎ／ｍｍ以上０．０６Ｎ／ｍｍ以下であることが好ましく、０．００５５Ｎ／ｍｍ以上０．０５Ｎ／ｍｍ以下であることが更に好ましい。
背側領域Ｂ側の吸汗シート部４が配された伸縮領域ＳＴの横方向（Ｙ方向）の収縮応力（Ｐ２）は、着用時に着用者の背側の凹みに対応して多量の汗を吸汗する観点から、０．００５５Ｎ／ｍｍ以上であることが好ましく、０．００６Ｎ／ｍｍ以上であることが更に好ましく、そして、０．０８Ｎ／ｍｍ以下であることが好ましく、０．０６Ｎ／ｍｍ以下であることが更に好ましく、具体的には、０．００５５Ｎ／ｍｍ以上０．０８Ｎ／ｍｍ以下であることが好ましく、０．００６Ｎ／ｍｍ以上０．０６Ｎ／ｍｍ以下であることが更に好ましい。
収縮応力（Ｐ１，Ｐ２）は、下記方法により測定される。
【００３９】
＜収縮応力（Ｐ１，Ｐ２）の測定方法＞
上述したおむつ１を例に挙げて説明すると、おむつ１のサイドシール部Ｓを引き剥がして、おむつ１を展開状態とし、その展開状態のおむつ１から吸収性本体２を取り除く。次に、吸収性本体２を取り除いた伸長させた状態の外装体３から、収縮応力の測定対象部位を、平面視長方形形状の測定サンプルとして切り出す。測定サンプルは、吸汗シート部４が配された状態の伸縮領域ＳＴから、縦方向（Ｘ方向）長さが吸汗シート部４の縦方向（Ｘ方向）の長さ（Ｌ１，Ｌ２）で、横方向（Ｙ方向）の長さがウエストフラップの横方向（Ｙ方向）の全長である領域を切り出す。切り出した測定サンプルに関し、予め、おむつ１に対応する縦方向（Ｘ方向）の長さとサイドシールＳ,Ｓ間の横方向（Ｙ方向）の長さを測定しておく。長さを測定した測定サンプルを、該測定サンプルの横方向（Ｙ方向）が引張方向と一致するように、引張試験機（例えば、オリエンテック社製の「ＲＴＡ−１００」等）のチャック間に固定する。チャック間は、１００ｍｍである。そして、チャック間に固定した測定サンプルを、３００ｍｍ／ｍｉｎの速度でサイドシールＳ,Ｓ間の横方向（Ｙ方向）の長さを１００（例えば３５０ｍｍ）とした時の、８０相当（例えば２８０ｍｍ）の長さまで伸張させた後に、７１相当（例えば２５０ｍｍ）の長さまで収縮させた時の引張り荷重（Ｎ）を各領域の応力とする。得られた応力（Ｎ）を予め測定した縦方向（Ｘ方向）の長さで除して得られる値を、当該測定サンプルの収縮応力（Ｎ／ｍｍ）とする。
【００４０】
上述したおむつ１の各部の形成材料について説明する。
おむつ１では、外装体３を構成する折り返し部分６Ｅが外層シート６の折り返し部分６Ｅで形成されているので、折り返し部分６Ｅ（折り返し部分６Ｅ）を含む外層シート６の全体が疎水性の繊維で構成された疎水性のシートで形成されている。おむつ１では、外層シート６とは別体の内層シート５も、疎水性のシートで構成されている。
【００４１】
外層シート６（折り返し部分６Ｅを含む）及び内層シート５に用いる疎水性のシートを構成する疎水性繊維としては、熱可塑性の合成繊維が挙げられ、具体的には、各種不織布の構成繊維として通常用いられているものを用いることができ、例えば、ポリエチレン（ＰＥ）繊維、ポリプロピレン（ＰＰ）繊維等のポリオレフィン繊維；ポリエチレンテレフタレート（ＰＥＴ）、ポリアミド等の熱可塑性樹脂を単独で用いてなる繊維；芯鞘型、サイドバイサイド型等の構造の複合繊維が挙げられる。
【００４２】
親水性の吸汗シート部４を形成する親水化剤は、衛生品用途に使用される一般的な親水化剤であれば特に限定されない。吸汗シート部４を構成する繊維が親水性であるか疎水性であるかの判断は、以下に述べる〔繊維の接触角の測定方法〕で測定される構成繊維の接触角に基づき判断される。具体的には、接触角が９０°以上であれば、親水度の低い疎水性と判断し、接触角が９０°より小さければ、親水度の高い親水性と判断する。
【００４３】
〔繊維の接触角の測定方法〕
接触角の測定には、例えば協和界面科学株式会社製の接触角計ＭＣＡ−Ｊを用いる。具体的には、吸汗シート部４を構成する繊維の表面に、イオン交換水を滴下（約２０ピコリットル）した後、直ちに前記接触角計を用いて接触角度の測定を行う。測定は、吸汗シート部４を構成する繊維の５箇所以上の箇所で行い、それらの平均値を接触角とする。尚、測定環境温度は２０℃とする。
【００４４】
吸収性本体２を構成する表面シート２１、裏面シート２２、吸収体２３及び防漏カフ２４等としては、使い捨ておむつ等の吸収性物品に従来用いられている各種のもの等を特に制限なく用いることができる。例えば、表面シート２１としては、単層又は多層構造の不織布や、開孔フィルム等を用いることができる。裏面シート２２としては、透湿性の樹脂フィルム等を用いることができる。吸収体２３の吸収性コア２３１としては、吸収性ポリマーの粒子及び繊維材料から構成されたものを用いることができ、吸収体２３の被覆シート２３２としては、ティッシュペーパーや不織布等を用いることができる。また、防漏カフ２４としては、撥水性の単層又は多層構造の不織布等を用いることができる。
【００４５】
弾性部材（防漏カフ形成用弾性部材２５、弾性部材７１、レッグ弾性部材７２等）としては、例えば、スチレン−ブタジエン、ブタジエン、イソプレン、ネオプレン等の合成ゴム、天然ゴム、ＥＶＡ、伸縮性ポリオレフィン、ポリウレタン等を挙げることができる。弾性部材の形態としては、断面が矩形、正方形、円形、楕円形、若しくは多角形状等の糸状（糸ゴム等）、又は紐状（平ゴム等）のもの等を好ましく用いることができる。
【００４６】
弾性部材（防漏カフ形成用弾性部材２５、弾性部材７１、レッグ弾性部材７２等）を固定する弾性部材固定用接着剤、及び外装体３及び吸収性本体２等を固定する本体固定用接着剤としては、使い捨ておむつ等の吸収性物品に従来用いられている各種のホットメルト接着剤等を特に制限なく用いることができる。
【００４７】
上述した本発明の一実施形態のおむつ１を使用した際の作用効果について説明する。
おむつ１では、図２及び図３に示すように、腹側ウエストフラップＦＡの伸縮領域ＳＴ及び背側ウエストフラップＦＢの伸縮領域ＳＴに、汗を吸収可能な親水性の吸汗シート部４が配されている。その為、おむつ１の着用時に着用者の腹側及び背側において、湿疹、汗疹、かぶれ等の皮膚トラブルを低減することが期待できる。また、おむつ１では、図３に示すように、背側領域Ｂ側の吸汗シート部４は、その縦方向（Ｘ方向）の長さ（Ｌ２）が、腹側領域Ａ側の吸汗シート部４の縦方向（Ｘ方向）の長さ（Ｌ１）よりも長く形成されている。その為、着用者の体型に関し、腹側が出っ張り、背側が凹んで凹凸形状の凹凸の差が大きくなっている乳幼児の体型であったとしても、着用時に着用者の凹んだ背側で多量の汗が吸汗できると共に、着用者の出っ張った腹側では汗を吸収した吸汗シート部４の密着範囲が狭く、皮膚トラブルを増長し難く、更に、吸汗シート部４を介して尿の漏れを誘発し難い。そして、背側領域Ｂ側の吸汗シート部４が配された伸縮領域ＳＴは、その横方向（Ｙ方向）の収縮応力（Ｐ２）が、腹側領域Ａ側の吸汗シート部４が配された伸縮領域ＳＴの横方向（Ｙ方向）の収縮応力（Ｐ１）よりも大きく形成されている。その為、着用時に着用者の背側の凹みに対応して多量の汗が吸汗できると共に、着用者の出っ張った腹側ではおむつ１の着用跡が付き難く効率的に汗が吸汗できる。
【００４８】
特に、おむつ１では、図２及び図３に示すように、腹側領域Ａ側の吸汗シート部４は、吸収体２３の縦方向（Ｘ方向）の腹側領域Ａ側の前端部２３Ａの外端縁２３Ａ１の位置と腹側領域Ａの縦方向（Ｘ方向）の外端縁Ａ１とで挟まれた領域にのみ配されている。このように、腹側領域Ａ側の吸汗シート部４が、吸収体２３の縦方向（Ｘ方向）の前端部２３Ａ上に配されていないので、皮膚トラブルを増長し難く、おむつ１の着用跡が付き難い。
【００４９】
また、おむつ１では、図２及び図３に示すように、腹側領域Ａ側及び背側領域Ｂ側において、吸汗シート部４は、その股下領域Ｃ側の内端縁がレッグ開口部ＬＨよりも縦方向（Ｘ方向）外側に配されており、その外端縁の位置が、吸汗シート部４を形成する内層シート５の外端縁の位置に一致している。このような位置に吸汗シート部４が配されていると、股下からの排泄物のモレが生じにくい。
【００５０】
以上、本発明をその好ましい実施形態に基づき説明したが、本発明は上述した実施形態に制限されず適宜変更可能である。
例えば、上述したおむつ１は、外装体３を構成する折り返し部分６Ｅは、図２に示すように、１枚の外層シート６の折り返し部分６Ｅで形成されているが、外層シート６とは別体の疎水性のシート（不織布）であってもよい。図４には、別体の疎水性のシート９が配されたおむつ１が記載されている。図４に示すおむつ１では、折り返し部分６Ｅの替わりに疎水性のシート９がウエスト開口部ＷＨの周縁部の周縁から間隔を空けて配されている。
【００５１】
図４及び図５に示すおむつ１では、腹側領域Ａでは、疎水性のシート９が、吸収体２３の縦方向（Ｘ方向）の腹側領域Ａ側の前端部２３Ａの外端縁２３Ａ１に跨って配されている。また、背側領域Ｂでは、疎水性のシート９が、吸収体２３の縦方向（Ｘ方向）の背側領域Ｂ側の後端部２３Ｂの外端縁２３Ｂ１に跨って配されている。図４に示すおむつ１では、腹側領域Ａ側の吸汗シート部４の縦方向（Ｘ方向）の外端縁の位置と、腹側領域Ａの縦方向（Ｘ方向）の外端縁Ａ１の位置とが一致している。そして、背側領域Ｂ側の吸汗シート部４の縦方向（Ｘ方向）の外端縁の位置と、背側領域Ｂの縦方向（Ｘ方向）の外端縁Ｂ１の位置とが一致している。言い換えれば、図４に示すおむつ１では弾性部材７１よりも着用者の肌に近い側に配された内層シート５に形成された吸汗シート部４が、図５に示すおむつ１では弾性部材７１よりも着用者の肌に近い側に配された外層シート６の折り返し部分６Ｅに形成された吸汗シート部４が、ウエスト開口部ＷＨの周縁部の周縁から縦方向（Ｘ方向）の内方に形成されており、背側領域Ｂ側の吸汗シート部４の縦方向（Ｘ方向）の長さ（Ｌ２）が腹側領域Ａ側の吸汗シート部４の縦方向（Ｘ方向）の長さ（Ｌ１）よりも長く形成されている。このように、吸汗シート部４の縦方向（Ｘ方向）の外端縁の位置と、腹側領域Ａ及び背側領域Ｂそれぞれの縦方向（Ｘ方向）の外端縁の位置とが一致していると、お腹及び背中から流れ落ちる汗を吸汗することができ、おむつ内で溜まりにくいとの効果を奏する。尚、図４に示すおむつ１では、腹側領域Ａ側及び背側領域Ｂ側において、吸汗シート部４は、その股下領域Ｃ側の内端縁がレッグ開口部ＬＨよりも縦方向（Ｘ方向）外側に配されており、その外端縁の位置が、吸汗シート部４を形成する内層シート５の外端縁の位置に一致している。また、図５に示すおむつ１では腹側領域Ａ側及び背側領域Ｂ側において、吸汗シート部４は、その股下領域Ｃ側の内端縁がレッグ開口部ＬＨよりも縦方向（Ｘ方向）外側に配されており、その外端縁の位置が、吸汗シート部４を形成する外層シート６の折り返し部分６Ｅの外端縁の位置に一致している。この為、上述のような効果を奏する。
【００５２】
また、おむつ１では、親水性の吸汗シート部４は、図３に示すように、腹側ウエストフラップＦＡ及び背側ウエストフラップＦＢを構成する不織布（内層シート５、外層シート６及び折り返し部分６Ｅ）の内、弾性部材７１よりも着用者の肌に近い側の不織布である内層シート５に親水化剤を塗布して形成されているが、図５及び図７に示すように、外層シート６の折り返し部分６Ｅに親水化剤を塗布して形成されていてもよく、また図６に示すように、弾性部材７１よりも着用者の肌に近い側に、内層シート５、外層シート６及び折り返し部分６Ｅとは別体の親水性の吸汗シート部４Ｂを設けてもよい。
【００５３】
図５及び図７に示すおむつ１では、腹側領域Ａ側の吸汗シート部４が形成されている外層シート６の折り返し部分６Ｅは、その縦方向（Ｘ方向）の内端縁が、吸収体２３の縦方向（Ｘ方向）の腹側領域Ａ側の前端部２３Ａの外端縁２３Ａ１よりも、縦方向（Ｘ方向）外方に配されている。そして、外層シート６とは別体の疎水性のシート９が、折り返し部分６Ｅから股下領域Ｃ側に離間して、吸収体２３の縦方向（Ｘ方向）の腹側領域Ａ側の前端部２３Ａの外端縁２３Ａ１に跨って配されている。また、図５及び図７に示すおむつ１では、背側領域Ｂ側の吸汗シート部４が形成されている外層シート６の折り返し部分６Ｅは、別体の疎水性のシート９の全体を覆うように配されている。そして、疎水性のシート９が、吸収体２３の縦方向（Ｘ方向）の背側領域Ｂ側の後端部２３Ｂの外端縁２３Ｂ１に跨って配されている。このように図５及び図７に示すおむつ１では、ウエスト開口部ＷＨの周縁部では、吸汗シート部４、４Ｂが別体の疎水性のシート９と重なっていないため、通気性がよく吸汗した汗が蒸発しやすい。
【００５４】
図５、図６及び図７に示すおむつ１では、図３に示すおむつ１と同様に、腹側領域Ａ側の吸汗シート部４，４Ｂが、吸収体２３の縦方向（Ｘ方向）の腹側領域Ａ側の前端部２３Ａの外端縁２３Ａ１の位置と腹側領域Ａの縦方向（Ｘ方向）の外端縁とで挟まれた領域にのみ配されている。一方、図５、図６及び図７に示すおむつ１では、背側領域Ｂ側の吸汗シート部４，４Ｂは、その縦方向（Ｘ方向）の長さ（Ｌ２）が腹側領域Ａ側の吸汗シート部４，４Ｂの縦方向（Ｘ方向）の長さ（Ｌ１）よりも長く、吸収体２３の縦方向（Ｘ方向）の背側領域Ｂ側の後端部２３Ｂの外端縁２３Ｂ１よりも股下領域Ｃ側の位置と背側領域Ｂの縦方向（Ｘ方向）の外端縁とで挟まれた領域に配されており、吸収体２３の該背側領域Ｂ側の外端縁２３Ｂ１に跨って配されている。このように、吸収体２３の該背側領域Ｂ側の外端縁２３Ｂ１に跨って背側領域Ｂ側の吸汗シート部４，４Ｂが配されていると、着用時に着用者の凹んだ背側で多量の汗が吸汗できると共に吸汗した汗を吸収体２３に移動でき、着用者の背側での皮膚トラブルを低減することが期待できる。
【００５５】
特に、図６および図７に示すおむつ１では、腹側領域Ａ側において、吸汗シート部４の縦方向（Ｘ方向）の外端縁の位置が、腹側領域Ａの縦方向（Ｘ方向）の外端縁Ａ１の位置と一致しておらず、腹側領域Ａの縦方向（Ｘ方向）の外端縁Ａ１の位置から股下領域Ｃ側に離間している。腹側領域Ａ側と同様に、背側領域Ｂ側において、吸汗シート部４の縦方向（Ｘ方向）の外端縁の位置が、背側領域Ｂの縦方向（Ｘ方向）の外端縁Ｂ１の位置と一致しておらず、背側領域Ｂの縦方向（Ｘ方向）の外端縁Ｂ１の位置から股下領域Ｃ側に離間している。このような構成により、吸汗した汗が衣服に浸み出しにくいとの効果を奏する。
【００５６】
また、上述した使い捨ておむつ１においては、親水性の吸汗シート部４は、腹側ウエストフラップＦＡの横方向（Ｙ方向）の全長に亘って配され、同様に、背側ウエストフラップＦＢの横方向（Ｙ方向）の全長に亘って配されているが、親水性の吸汗シート部４は、腹側ウエストフラップＦＡの横方向（Ｙ方向）の全長以内の領域に亘って配されていればよく、また同様に、親水性の吸汗シート部４は、背側ウエストフラップＦＢの横方向（Ｙ方向）の全長以内の領域に亘って配されていればよい。例えば、図８に示すおむつ１のように、おむつ１の横方向（Ｙ方向）において、吸汗シート部４がサイドシール部Ｓを構成する融着部における縦中心線ＣＬ１側の両内端縁Ｓｅ，Ｓｅより横方向（Ｙ方向）内方に配されている場合が含まれる。この場合、吸汗シート部４の側端部がサイドシール部Ｓの内端縁Ｓｅから左右それぞれ２０ｍｍ以下離間している場合、即ち、吸汗シート部４の側端部とサイドシール部Ｓ内端縁Ｓｅとの距離ｄが２０ｍｍ以下である場合が含まれる。
また、図８に示すおむつ１では、吸汗シート部４の両側端部がサイドシール部Ｓから離間している態様では、背側ウエストフラップＦＢの横方向（Ｙ方向）長さＬ４と腹側ウエストフラップＦＡの横方向（Ｙ方向）長さＬ３は略一致している。ここで「略一致」とは、背側ウエストフラップＦＢの横方向（Ｙ方向）長さＬ４と腹側ウエストフラップＦＡの横方向（Ｙ方向）長さＬ３との差が１０ｍｍ以下である場合である。
【００５７】
本発明の吸収性物品は、上述の図３〜図８のおむつ１に何ら制限されるものではなく、適宜変更可能である。また、上述の図３〜図８のおむつ１における各構成要件は、本発明の趣旨を損なわない範囲で、適宜組み合わせて実施できる。
【００５８】
また、上述した使い捨ておむつ１においては、図２及び図３に示すように、外装体３が、横方向（Ｙ方向）に伸長した状態で、縦方向（Ｘ方向）に間欠的に配された糸状又は帯状の弾性部材７１を有しているが、弾性部材７１の形態は、糸状又は帯状以外に、フィルム状であってもよく、弾性繊維からなる弾性繊維層状であってもよい。
【００５９】
また、上述した使い捨ておむつ１においては、図２に示すように、外装体３が腹側領域Ａ、股下領域Ｃ及び背側領域Ｂにわたる砂時計状等の連続した形状のパンツ型使い捨ておむつであるが、外装体３が、腹側外装体、背側外装体及び股下外装体に別部材として区分された分割型のパンツ型使い捨ておむつであってもよい。
【００６０】
また、上述した使い捨ておむつ１においては、図１に示すように、外装体３を有するパンツ型使い捨ておむつであるが、展開型の使い捨ておむつであってもよい。
【００６１】
上述した実施形態に関し、さらに以下の使い捨ておむつを開示する。
【００６２】
＜１＞
縦方向に腹側領域および背側領域と、それらの間に位置する股下領域とを備え、前記腹側領域と前記背側領域とに亘って吸収体を有し、該吸収体の縦方向の前後端部それぞれから外方に位置して横方向に延びる腹側ウエストフラップ及び背側ウエストフラップを有する使い捨ておむつであって、
前記腹側ウエストフラップ及び前記背側ウエストフラップには、それぞれ、横方向に伸長状態で配された弾性部材による伸縮領域が形成されており、該伸縮領域に、汗を吸収可能な親水性の吸汗シート部が配されており、
前記吸汗シート部は、前記腹側ウエストフラップの横方向の全長以内の領域及び前記背側ウエストフラップの横方向の全長以内の領域に亘って配され、且つ、前記弾性部材よりも着用者の肌に近い側に配されており、
前記背側領域側の前記吸汗シート部は、その縦方向の長さが、前記腹側領域側の前記吸汗シート部の縦方向の長さよりも長く、
前記背側領域側の前記吸汗シート部が配された前記伸縮領域は、その横方向の収縮応力が、前記腹側領域側の前記吸汗シート部が配された前記伸縮領域の横方向の収縮応力よりも大きい、使い捨ておむつ。
【００６３】
＜２＞
前記腹側領域側の前記吸汗シート部は、前記吸収体の縦方向の前記腹側領域側の外端縁の位置と該腹側領域の縦方向の外端縁の位置とで挟まれた領域にのみ配されている、前記＜１＞に記載の使い捨ておむつ。
＜３＞
前記腹側領域側の前記吸汗シート部の縦方向の長さ（Ｌ１）に対する前記背側領域側の前記吸汗シート部の縦方向の長さ（Ｌ２）の比（Ｌ２／Ｌ１）が、２以上である、前記＜１＞又は＜２＞に記載の使い捨ておむつ。
＜４＞
前記腹側領域側の前記吸汗シート部が配された前記伸縮領域の横方向の収縮応力（Ｐ１）に対する前記背側領域側の前記吸汗シート部が配された前記伸縮領域の横方向の収縮応力（Ｐ２）の比（Ｐ２／Ｐ１）が、１．１以上２以下である、前記＜１＞〜＜３＞の何れか１つに記載の使い捨ておむつ。
＜５＞
前記背側領域側の前記吸汗シート部は、前記吸収体の縦方向の前記背側領域側の外端縁よりも股下領域側の位置と該背側領域の縦方向の外端縁の位置とで挟まれた領域に配されており、該吸収体の該背側領域側の外端縁の位置に跨って配されている、前記＜１＞〜＜４＞の何れか１つに記載の使い捨ておむつ。
＜６＞
前記腹側領域の左右両側縁部と前記背側領域の左右両側縁部とが接合されて一対のサイドシール部、ウエスト開口部及び一対のレッグ開口部が形成されており、
前記親水性の吸汗シート部は、前記腹側ウエストフラップ及び前記背側ウエストフラップを構成する不織布のうち、前記弾性部材よりも着用者の肌に近い側の不織布の横方向の全長以内の領域に親水化剤を塗布して形成されており、
前記腹側領域側及び前記背側領域側の前記吸汗シート部の縦方向の内端縁の位置はレッグ開口部よりも縦方向外側に配されており、
前記腹側領域側及び前記背側領域側の前記吸汗シート部の縦方向の外端縁の位置は該吸汗シート部を形成する前記不織布の縦方向の外端縁の位置に一致している、前記＜１＞〜＜５＞の何れか１つに記載の使い捨ておむつ。
＜７＞
前記腹側領域側の前記吸汗シート部の縦方向の外端縁の位置と、該腹側領域の縦方向の外端縁の位置とが一致しており、
前記背側領域側の前記吸汗シート部の縦方向の外端縁の位置と、該背側領域の縦方向の外端縁の位置とが一致している、前記＜１＞〜＜６＞の何れか１つに記載の使い捨ておむつ。
＜８＞
前記腹側領域側の前記吸汗シート部の縦方向の外端縁の位置は、該腹側領域の縦方向の外端縁の位置に一致しておらず、該腹側領域の縦方向の外端縁の位置から離間しており、
前記背側領域側の前記吸汗シート部の縦方向の外端縁の位置は、該背側領域の縦方向の外端縁の位置に一致しておらず、該背側領域の縦方向の外端縁の位置から離間している、前記＜１＞〜＜６＞の何れか１項に記載の使い捨ておむつ。
【００６４】
＜９＞
前記親水性の吸汗シート部は、前記腹側ウエストフラップ及び前記背側ウエストフラップを構成する不織布のうち、前記弾性部材よりも着用者の肌に近い側の不織布に親水化剤を塗布して形成されている、前記＜１＞〜＜８＞の何れか１つに記載の使い捨ておむつ。
＜１０＞
前記腹側ウエストフラップ側の前記吸汗シート部の親水性の程度と前記背側ウエストフラップ側の前記吸汗シート部の親水性の程度は同じである、前記＜１＞〜＜９＞の何れか１つに記載の使い捨ておむつ。
＜１１＞
前記腹側領域側の前記吸汗シート部の縦方向の長さ（Ｌ１）に対する前記背側領域側の前記吸汗シート部の縦方向の長さ（Ｌ２）の比（Ｌ２／Ｌ１）は、２以上、好ましくは３以上であり、そして、２０以下、好ましくは１２以下である、前記＜１＞〜＜１０＞の何れか１つに記載の使い捨ておむつ。
＜１２＞
前記腹側領域側の前記吸汗シート部の縦方向の長さ（Ｌ１）は、３ｍｍ以上、好ましくは５ｍｍ以上であり、そして、３０ｍｍ以下、好ましくは２０ｍｍ以下である、前記＜１＞〜＜１１＞の何れか１つに記載の使い捨ておむつ。
＜１３＞
前記背側領域側の前記吸汗シート部の縦方向の長さ（Ｌ２）は、３０ｍｍ以上、好ましくは４０ｍｍ以上であり、そして、１００ｍｍ以下、好ましくは８０ｍｍ以下である、前記＜１＞〜＜１２＞の何れか１つに記載の使い捨ておむつ。
＜１４＞
前記腹側領域側の前記吸汗シート部が配された前記伸縮領域の横方向の収縮応力（Ｐ１）に対する前記背側領域側の前記吸汗シート部が配された前記伸縮領域の横方向の収縮応力（Ｐ２）の比（Ｐ２／Ｐ１）は、１．１以上、好ましくは１．２以上であり、そして、２．０以下、好ましくは１．９以下である、前記＜１＞〜＜１３＞の何れか１つに記載の使い捨ておむつ。
＜１５＞
前記腹側領域側の前記吸汗シート部が配された前記伸縮領域の横方向の収縮応力（Ｐ１）は、０．００５Ｎ／ｍｍ以上、好ましくは０．００５５Ｎ／ｍｍ以上であり、そして、０．０６Ｎ／ｍｍ以下、好ましくは０．０５Ｎ／ｍｍ以下である、前記＜１＞〜＜１４＞の何れか１つに記載の使い捨ておむつ。
【００６５】
＜１６＞
前記背側領域側の前記吸汗シート部が配された前記伸縮領域の横方向の収縮応力（Ｐ２）は、０．００５５Ｎ／ｍｍ以上、好ましくは０．００６Ｎ／ｍｍ以上であり、そして、０．０８Ｎ／ｍｍ以下、好ましくは０．０６Ｎ／ｍｍ以下である、前記＜１＞〜＜１５＞の何れか１つに記載の使い捨ておむつ。
＜１７＞
前記使い捨ておむつは外装体を有しており、
前記外装体は、非肌対向面を形成する外層シートと、前記外層シートの肌対向面に対向配置された内層シートとの積層体を含んで構成されている、前記＜１＞〜＜１６＞の何れか１つに記載の使い捨ておむつ。
＜１８＞
前記外層シートは、前記腹側領域及び前記背側領域に、前記内層シートの縦方向の外端縁から延出し、前記ウエスト開口部の周縁部に沿って前記内層シートの肌対向面側に折り返される折り返し部分を有し、該折り返し部分は、前記吸収体の縦方向の前後端部を被覆している、前記＜１７＞に記載の使い捨ておむつ。
＜１９＞
前記折り返し部分を含む前記外層シートの全体が疎水性の繊維で構成された疎水性のシートで形成されており、
前記外層シートとは別体の前記内層シートも、疎水性のシートで構成されている、前記＜１８＞に記載の使い捨ておむつ。
＜２０＞
前記外装体は、前記内層シートと前記外層シートとの間に、横方向に伸長した状態で、縦方向に間欠的に配された複数の糸状又は帯状の弾性部材を有している、前記＜１７＞〜＜１９＞の何れか１つに記載の使い捨ておむつ。
＜２１＞
前記腹側領域側の前記吸汗シート部は、前記腹側領域側の前記折り返し部分に親水化剤を塗布して形成されているとともに、前記吸収体の縦方向の前記腹側領域側の外端縁の位置と該腹側領域の縦方向の外端縁の位置とで挟まれた領域にのみ配されており、
前記腹側領域側の前記吸汗シート部とは別体の疎水性のシートが、前記吸収体の縦方向の前記腹側領域側の前端部の外端縁に跨って配されており、
前記背側領域側の前記吸汗シート部は、前記背側領域側の前記折り返し部分に親水化剤を塗布して形成されているとともに、前記吸収体の縦方向の前記背側領域側の外端縁よりも股下領域側の位置と該背側領域の縦方向の外端縁の位置とで挟まれた領域に配されており、該吸収体の該背側領域側の外端縁の位置に跨って配されており、
前記背側領域側の前記吸汗シート部と、前記吸収体の前記背側領域側の外端縁との間に、前記背側領域側の前記吸汗シート部とは別体の疎水性のシートが、前記吸収体の縦方向の前記背側領域側の後端部の外端縁に跨って配されている、前記＜１７＞〜＜２０＞の何れか１つに記載の使い捨ておむつ。
【００６６】
＜２２＞
前記腹側領域側では、前記腹側領域側の前記折り返し部分が前記吸収体の該腹側領域側の外端縁の位置に跨って配されており、
前記腹側領域側の前記折り返し部分よりも着用者の肌に近い側に、前記腹側領域側の前記折り返し部分とは別体の前記親水性の吸汗シート部が前記吸収体の該腹側領域側の外端縁の位置に跨って配されており、
前記背側領域側では、前記背側領域側の前記折り返し部分が前記吸収体の該背側領域側の外端縁の位置に跨って配されており、
前記背側領域側の前記折り返し部分よりも着用者の肌に近い側に、前記背側領域側の前記折り返し部分とは別体の親水性の吸汗シート部が、前記吸収体の縦方向の前記背側領域側の外端縁よりも股下領域側の位置と該背側領域の縦方向の外端縁の位置とで挟まれた領域に配されている、前記＜１７＞〜＜２０＞の何れか１つに記載の使い捨ておむつ。
＜２３＞
前記背側ウエストフラップ及び前記腹側ウエストフラップは、前記内層シートと前記外層シートとが、散点状に配置された複数の熱融着による接合部にて接合固定されて形成されている、前記＜１７＞〜＜２２＞の何れか１つに記載の使い捨ておむつ。
＜２４＞
前記伸長領域は、ウエスト伸縮部及び胴回り下部伸縮部を有しており、
前記腹側領域及び前記背側領域それぞれの前記ウエスト伸縮部から前記胴回り下部伸縮部に亘る領域に、前記内層シートと前記外層シートとの前記接合部が、縦方向に沿って一列をなすように間欠的に配されており、その複数の前記接合部からなる接合部列が、横方向に間隔を開けて複数列配されている、前記＜２３＞に記載の使い捨ておむつ。
＜２５＞
前記接合部で固定された前記内層シートと前記外層シートとの間に、横方向に伸長した状態で配され且つ縦方向に間欠的に配された複数の弾性部材を有している、前記＜２３＞又は＜２４＞に記載の使い捨ておむつ。
＜２６＞
前記伸長領域は、ウエスト伸縮部及び胴回り下部伸縮部を有しており、
前記腹側領域及び前記背側領域それぞれの前記ウエスト伸縮部から前記胴回り下部伸縮部に亘る領域に、複数本の前記弾性部材が、それぞれ、複数の前記接合部列それぞれの前記接合部どうし間の隙間を通って、横方向に伸長状態で配されている、前記＜２５＞に記載の使い捨ておむつ。
＜２７＞
前記外装体の前記腹側領域の両側縁部及び前記外装体の前記背側領域の両側縁部に、前記内層シートと前記外層シートとが弾性部材固定用接着剤を介して接合された一対の外側固定領域を有している前記＜１７＞〜＜２６＞の何れか１つに記載の使い捨ておむつ。
【産業上の利用可能性】
【００６７】
本発明によれば、着用時に着用者の腹側及び背側において、湿疹、汗疹、かぶれ等の皮膚トラブルを低減することが期待できる。
【図１】
2018116479.tif 000003
【図２】
2018116479.tif 000004
【図３】
2018116479.tif 000005
【図４】
2018116479.tif 000006
【図５】
2018116479.tif 000007
【図６】
2018116479.tif 000008
【図７】
2018116479.tif 000009
【図８】
2018116479.tif 000010
【手続補正書】
【提出日】平成30年5月22日(2018.5.22)
【手続補正１】
【補正対象書類名】特許請求の範囲
【補正対象項目名】全文
【補正方法】変更
【補正の内容】
【特許請求の範囲】
【請求項１】
縦方向に腹側領域および背側領域と、それらの間に位置する股下領域とを備え、前記腹側領域と前記背側領域とに亘って吸収体を有し、該吸収体の縦方向の前後端部それぞれから外方に位置して横方向に延びる腹側ウエストフラップ及び背側ウエストフラップを有する使い捨ておむつであって、
前記腹側ウエストフラップ及び前記背側ウエストフラップには、それぞれ、横方向に伸長状態で配された弾性部材による伸縮領域が形成されており、該伸縮領域に、汗を吸収可能な親水性の吸汗シート部が配されており、
前記吸汗シート部は、前記腹側ウエストフラップの横方向の全長以内の領域及び前記背側ウエストフラップの横方向の全長以内の領域に亘って配され、且つ、前記弾性部材よりも着用者の肌に近い側に配されており、
前記背側領域側の前記吸汗シート部は、その縦方向の長さが、前記腹側領域側の前記吸汗シート部の縦方向の長さよりも長く、
前記背側領域側の前記吸汗シート部が配された前記伸縮領域は、その横方向の収縮応力が、前記腹側領域側の前記吸汗シート部が配された前記伸縮領域の横方向の収縮応力よりも大きい、使い捨ておむつ。
【請求項２】
前記腹側領域側の前記吸汗シート部は、前記吸収体の縦方向の前記腹側領域側の外端縁の位置と該腹側領域の縦方向の外端縁の位置とで挟まれた領域にのみ配されている、請求項１に記載の使い捨ておむつ。
【請求項３】
前記背側領域側の前記吸汗シート部は、前記吸収体の縦方向の前記背側領域側の外端縁よりも股下領域側の位置と該背側領域の縦方向の外端縁の位置とで挟まれた領域に配されており、該吸収体の該背側領域側の外端縁の位置に跨って配されている、請求項１又は２に記載の使い捨ておむつ。
【請求項４】
前記腹側領域の左右両側縁部と前記背側領域の左右両側縁部とが接合されて一対のサイドシール部、ウエスト開口部及び一対のレッグ開口部が形成されており、
前記親水性の吸汗シート部は、前記腹側ウエストフラップ及び前記背側ウエストフラップを構成する不織布のうち、前記弾性部材よりも着用者の肌に近い側の不織布の横方向の全長以内の領域に親水化剤を塗布して形成されており、
前記腹側領域側及び前記背側領域側の前記吸汗シート部の縦方向の内端縁の位置はレッグ開口部よりも縦方向外側に配されており、
前記腹側領域側及び前記背側領域側の前記吸汗シート部の縦方向の外端縁の位置は該吸汗シート部を形成する前記不織布の縦方向の外端縁の位置に一致している、請求項１〜３の何れか１項に記載の使い捨ておむつ。
【請求項５】
前記腹側領域側の前記吸汗シート部の縦方向の外端縁の位置と、該腹側領域の縦方向の外端縁の位置とが一致しており、
前記背側領域側の前記吸汗シート部の縦方向の外端縁の位置と、該背側領域の縦方向の外端縁の位置とが一致している、請求項１〜４の何れか１項に記載の使い捨ておむつ。
【請求項６】
前記腹側領域側の前記吸汗シート部の縦方向の外端縁の位置は、該腹側領域の縦方向の外端縁の位置に一致しておらず、該腹側領域の縦方向の外端縁の位置から離間しており、
前記背側領域側の前記吸汗シート部の縦方向の外端縁の位置は、該背側領域の縦方向の外端縁の位置に一致しておらず、該背側領域の縦方向の外端縁の位置から離間している、請求項１〜４の何れか１項に記載の使い捨ておむつ。
【請求項７】
前記親水性の吸汗シート部は、前記腹側ウエストフラップ及び前記背側ウエストフラップを構成する不織布のうち、前記弾性部材よりも着用者の肌に近い側の不織布に親水化剤を塗布して形成されている、請求項１〜６の何れか１項に記載の使い捨ておむつ。
【請求項８】
前記腹側ウエストフラップ側の前記吸汗シート部の親水性の程度と前記背側ウエストフラップ側の前記吸汗シート部の親水性は同じである、請求項１〜７の何れか１項に記載の使い捨ておむつ。
【請求項９】
前記使い捨ておむつは外装体を有しており、
前記外装体は、非肌対向面を形成する外層シートと、前記外層シートの肌対向面に対向配置された内層シートとの積層体を含んで構成されている、請求項１〜８の何れか１項に記載の使い捨ておむつ。
【請求項１０】
前記外装体の腹側領域の左右両側縁部と前記外装体の背側領域の左右両側縁部とが接合されて一対のサイドシール部、ウエスト開口部及び一対のレッグ開口部が形成されており、
前記外層シートは、前記腹側領域及び前記背側領域に、前記内層シートの縦方向の外端縁から延出し、前記ウエスト開口部の周縁部に沿って前記内層シートの肌対向面側に折り返される折り返し部分を有し、該折り返し部分は、前記吸収体の縦方向の前後端部を被覆している、請求項９に記載の使い捨ておむつ。
【請求項１１】
前記折り返し部分を含む前記外層シートの全体が疎水性の繊維で構成された疎水性のシートで形成されており、
前記外層シートとは別体の前記内層シートも、疎水性のシートで構成されている、請求項１０に記載の使い捨ておむつ。
【請求項１２】
前記腹側領域側の前記吸汗シート部は、前記腹側領域側の前記折り返し部分に親水化剤を塗布して形成されているとともに、前記吸収体の縦方向の前記腹側領域側の外端縁の位置と該腹側領域の縦方向の外端縁の位置とで挟まれた領域にのみ配されており、
前記腹側領域側の前記吸汗シート部とは別体の疎水性のシートが、前記吸収体の縦方向の前記腹側領域側の前端部の外端縁に跨って配されており、
前記背側領域側の前記吸汗シート部は、前記背側領域側の前記折り返し部分に親水化剤を塗布して形成されているとともに、前記吸収体の縦方向の前記背側領域側の外端縁よりも股下領域側の位置と該背側領域の縦方向の外端縁の位置とで挟まれた領域に配されており、該吸収体の該背側領域側の外端縁の位置に跨って配されており、
前記背側領域側の前記吸汗シート部と、前記吸収体の前記背側領域側の外端縁との間に、前記背側領域側の前記吸汗シート部とは別体の疎水性のシートが、前記吸収体の縦方向の前記背側領域側の後端部の外端縁に跨って配されている、請求項１０又は１１に記載の使い捨ておむつ。
【請求項１３】
前記腹側領域側では、前記腹側領域側の前記折り返し部分が前記吸収体の該腹側領域側の外端縁の位置に跨って配されており、
前記腹側領域側の前記折り返し部分よりも着用者の肌に近い側に、前記腹側領域側の前記折り返し部分とは別体の前記親水性の吸汗シート部が前記吸収体の該腹側領域側の外端縁の位置に跨って配されており、
前記背側領域側では、前記背側領域側の前記折り返し部分が前記吸収体の該背側領域側の外端縁の位置に跨って配されており、
前記背側領域側の前記折り返し部分よりも着用者の肌に近い側に、前記背側領域側の前記折り返し部分とは別体の親水性の吸汗シート部が、前記吸収体の縦方向の前記背側領域側の外端縁よりも股下領域側の位置と該背側領域の縦方向の外端縁の位置とで挟まれた領域に配されている、請求項１０又は１１に記載の使い捨ておむつ。
【国際調査報告】
2018116479.tif 000011
2018116479.tif 000012